(57)【特許請求の範囲】
【請求項１】
表示部を有する本体と、
前記本体を支持する第１の面と、前記本体を載置する第２の面とを有するカバーと、
を有し、
前記カバーは、前記表示部を覆う第１の使用形態と前記表示部を露出させた第２の使用形態とを有し、前記第２の使用形態で前記第１の面と前記第２の面とを回動可能であり、
前記カバーは、前記第２の面に接する第３の面を有し、前記第３の面が前記第１の面に着脱可能であり、
前記第３の面は、前記第２の面に載置可能であり、前記本体に当接可能である電子機器。
【請求項２】
表示部を有する電子機器を支持する第１の面と、
前記電子機器を載置する第２の面と、
を有し、
前記第１の面は、前記第２の面に対して回動可能であり、
前記第２の面に接する第３の面を有し、前記第３の面は前記第１の面に着脱可能であり、
前記第３の面は、前記第２の面に載置可能であり、前記電子機器に当接可能であるカバー。
【発明の詳細な説明】
【技術分野】
【０００１】
本発明の実施形態は、電子機器及びカバーに関する。
【背景技術】
【０００２】
従来、電子機器本体の液晶ディスプレイを保護するための保護カバーを備え、この保護カバーを回動させることで机上に起立させた状態に載置ことが出来るものが開示されている（特許文献１参照）。
【先行技術文献】
【特許文献】
【０００３】
【特許文献１】特開平１０−６５３５６号公報
【発明の概要】
【発明が解決しようとする課題】
【０００４】
近年、電子機器の小型化と軽量化が進み、電子機器を持ち出して外出先で他の装置と接続する機会が増えている。従って、電子機器の使用に必要な付属品も電子機器と共に携帯し易くすることで利便性の向上を図ることが期待される。
【０００５】
本発明の目的は、電子機器を保護するカバーに付属品を収納可能な電子機器及びカバーを提供することである。
【課題を解決するための手段】
【０００６】
本発明の実施形態によれば、電子機器は、表示部を有する本体と、前記本体を支持する第１の面と、前記本体を載置する第２の面とを有するカバーと、を有し、前記カバーは、前記表示部を覆う第１の使用形態と前記表示部を露出させた第２の使用形態とを有し、前記第２の使用形態で前記第１の面と前記第２の面とを回動可能であり、前記カバーは、前記第２の面に接する第３の面を有し、前記第３の面が前記第１の面に着脱可能であり、前記第３の面は、前記第２の面に載置可能であり、前記本体に当接可能である。
【０００７】
また、本発明の実施形態によれば、カバーは、表示部を有する電子機器を支持する第１の面と、前記電子機器を載置する第２の面と、を有し、前記第１の面は、前記第２の面に対して回動可能であり、前記第２の面に接する第３の面を有し、前記第３の面は前記第１の面に着脱可能であり、前記第３の面は、前記第２の面に載置可能であり、前記電子機器に当接可能である。
【図面の簡単な説明】
【０００８】
【図１】本実施形態における通信システムの構成図。
【図２】本実施形態における保護ケースを閉じた状態のモニタの外観図。
【図３】本実施形態における保護ケースの内面を示す図。
【図４】本実施形態における保護ケースの外面を示す図。
【図５】本実施形態における保護ケースのスタンド使用の手順を説明する第１の図。
【図６】本実施形態における保護ケースのスタンド使用の手順を説明する第２の図。
【図７】本実施形態における保護ケースの携帯使用の手順を説明する図。
【発明を実施するための形態】
【０００９】
以下、図面を参照して、本発明の実施形態について説明する。以下の説明では電子機器として、コンテンツデータを出力するモニタ１を例に説明する。本明細書において、表示装置３ａに対向してパーソナルコンピュータ１を使用するユーザから見て、上方向を上、下方向を下、左側を左、ユーザから見て右側を右、手前側を手前、奥側を奥と定義する。
【００１０】
図１は、本発明の一実施形態に係る通信システムの構成を示す図である。通信システムは、モニタ１とパーソナルコンピュータ５とから構成される。モニタ１はモニタ本体２とモニタ本体２に備えられる保護カバー３から構成される。パーソナルコンピュータ５は、様々な情報処理を実行可能であり、その一つに映像データの再生機能がある。モニタ１とパーソナルコンピュータ５とは、ケーブル４を介して接続される。ケーブル４は、例えばUSB（Universal Serial Bus）規格に準拠するものである。パーソナルコンピュータ５で再生された映像データは、ケーブル４を介してモニタ１に出力される。モニタ１は、入力されたデータをディスプレイ２１に出力する。
【００１１】
本実施形態においては、モニタ１はモニタ本体２とモニタ本体２を覆う保護カバー３とを備える。モニタ本体２は、筐体２０とディスプレイ２１と操作ボタン２２とを有する。筐体２０は、略直方体形状であり、ディスプレイ２１の設けられる面を表面２０a、表面２０aと対向する面を裏面２０ｂ、図１で下方に位置する面を下面２０ｃ、上方に位置する面を上面２０ｄと称する。図１においては、保護カバー３を開き、モニタ本体２を起立させて使用するスタンド使用状態を示している。
【００１２】
まず、モニタ１のスタンド使用について説明する。保護カバー３は、ストッパ３０と、連結部３２と、スタンドベース３３と、ケーブル収納部３５と、連結部３７と、支持面３８とを有する。ストッパ３０は、連結部３２を介してスタンドベース３３と連結され、スタンド使用においてはスタンドベース３３上に置かれる。即ち、スタンドベース３３上に置くことでストッパ３０がスタンドベース３３上で凸部を形成し、モニタ本体２と当接することでモニタ本体２の起立状態を保持する。
【００１３】
連結部３２は、ストッパ３０とスタンドベース３３とを連結し、弾性変形した状態でストッパ３０をスタンドベース３３上に配置する。スタンドベース３３は、スタンド使用時に机上に接する面であり、下面２０ｃが内面３３a上に載置される。内面３３ａは、摩擦係数の高い材質で形成され、下面２０ｃが滑りにくくなっている。従って、モニタ本体２はストッパ３０に当接していない状態でも、起立状態を保つことができる。
【００１４】
ケーブル収納部３５は、弾性変形可能な素材で構成され、矩形形状である。ケーブル収納部３５の長辺である端部３５Ａは、連結部３７と連結されている。端部３５Ａと対向する端部３５Ｂは、他の部分に固定されておらず回動可能である。また、端部３５Ｂには接着部が設けられ、端部３５Ｂを回動させ連結部３７に接着部を接着することで、円柱形状に変形することもできる。以下、本明細書において接着部は、複数回着脱可能なものであり、例えば面ファスナ等である。ケーブル収納部３５を丸めた状態では、内部にケーブル４等を収納することができる。連結部３７は、スタンドベース３３と支持面３８とを連結する。連結部３７は弾性変形可能であり、スタンドベース３３と支持面３８との間の回動角度を変更することができる。また、連結部３７は、ケーブル収納部３５に設けられる接着部を接着可能な素材で構成される。
【００１５】
支持面３８は、折れ線部４０で折れ曲がることで、支持面３８ａと支持面３８ｂとに分けられる。支持面３８ａは、図示しない接着部でモニタ本体２の裏面２０ｂと接着する。支持面３８ｂは、支持面３８ａと連結部３７との間に形成され、モニタ本体２を支持する。
【００１６】
次に、図２を用いてモニタ１を携帯使用について説明する。図２は、本実施形態における保護ケース３を閉じた状態のモニタ１の外観図である。
携帯使用においては、支持面３８の外面３８ｂとストッパ３０の内面３０ａとが接着することで、モニタ本体２の周囲を保護カバー３で覆う。モニタ本体２は筐体２０の裏面２０ｂの上方に設けられる接着部でスタンドベース３３の内面３３ａに接着され、保護カバー３内に保持される。また、保護カバー３のスタンドベース３３及び支持面３８はモニタ本体２の筐体２０の表面２０ａよりも大きい。従って、モニタ本体２を保護カバー３で覆った場合には、モニタ本体２の下方に空間が生じる。この空間においてケーブル収納部３５を丸めて端部３５Ｂを連結部３７に接着し、ケーブル４を収納することができる。即ち、保護カバー３を開けた場合にもケーブル４がケーブル収納部３５内に保持される。
【００１７】
次に、保護カバー３の構造について図３を用いて説明する。図３は、本実施形態における保護ケース３の内面を示す図である。ここで内面とは、携帯使用の場合に内側になる保護カバー３の面である。即ち、図３は図２の携帯使用状態からストッパ３０と支持面３８との接着を解除し、ストッパ３０を上方に回動させ、支持面３８を下方に回動させ、保護カバー３を開いた状態である。
【００１８】
保護カバー３は、ストッパ３０と、連結部３２と、スタンドベース３３と、ケーブル収納部３５と、連結部３７と、支持面３８とが連結して構成される。ストッパ３０の内面には接着部３１Ａと接着部３１Ｂとが左右に２箇所に分離して設けられる。連結部３２は、弾性変形可能に構成され、図３のようにストッパ３０とスタンドベース３３とを並べた状態から、図２のようにストッパ３０を１８０度回転させてスタンドベース３３の内面に重ねることができる。
【００１９】
スタンドベース３３は、スタンド使用時にモニタ本体２の下方に位置する面であり、その内面３３ａは摩擦係数が高い材質で形成される。また、スタンドベース３３は硬質形状で構成され、携帯使用時に対向するモニタ本体２のディスプレイ２１を保護することができる。また、スタンドベース３３の内面には接着部３４Ａと接着部３４Ｂとが左右の２箇所に分離して設けられ、ストッパ３０の接着部３１Ａと接着部３１Ｂとそれぞれ接着可能である。
【００２０】
ケーブル収納部３５は、端部３５Ａが連結部３７に連結して形成され、端部３５Ｂは回動可能である。ケーブル収納部３５の外面３５ｂには接着部３６が設けられる。端部３５Ｂを回動させ、接着部３６を連結部３７に接着することで、ケーブル４を収納可能な空間を形成することができる。ケース収納部３５の内面３５Ａは、ケーブル４収納時にケーブル４と接する面である。
【００２１】
連結部３７は、弾性変形可能に構成され、図３のようにスタンドベース３３と支持面３８とを並べた状態から、支持面３８を任意の角度回転させることができる。連結部３７が弾性変形することで支持面３８Ｂに接着されるモニタ本体２の角度を調整することができる点については後述する。支持面３８は、折れ線部４０で折れ曲がり、連結部３７と接する側を支持面３８Ａ、残る部分を支持面３８Ｂと称する。内面３８ａの支持面３８Ｂ部分には接着部３９が設けられる。
【００２２】
接着部３９は、モニタ本体２の裏面２０ｂに設けられる接着部２３と接着する。接着部３１及び接着部３４が２箇所に分離しているのに対し、接着部３９は分離せず一体に設けられる。これは、モニタ本体２を接着する面をユーザに識別可能にするためである。２箇所に分けている接着部３４には、モニタ本体２ではなくストッパ３０に設けられる接着部３１が接着し、モニタ本体２を接着する面ではないことを示している。しかし、ユーザが誤ってモニタ本体２を接着部３４に接着した場合も想定される。この場合にもモニタ本体２のディスプレイ２１を保護できるように、支持面３８も硬質形状で構成される。
【００２３】
次に、保護カバー３の外面について図４を用いて説明する。図４は本実施形態における保護ケース３の外面を示す図である。ここで外面とは、携帯使用の場合に外側になる保護カバー３の面である。
【００２４】
ストッパ３０の内面３０ａに設けられる接着部３１の位置を点線で示している。また、スタンドベース３３の内面３３ａに設けられる接着部３４の位置を点線で示している。支持面３８の外面３８ｂの支持面３８Ｂ部分には接着部４１が設けられる。接着部４１は、携帯使用時に接着部３１と接着し、保護カバー３の両端を留めることができる。
【００２５】
次に、図５及び図６を用いて、保護カバー３をスタンド使用する際の組み立て手順を説明する。図５は、本実施形態における保護ケースのスタンド使用の手順を説明する第１の図である。図６は、本実施形態における保護ケースのスタンド使用の手順を説明する第２の図である。図５及び図６における保護カバー３は、図３の（Ａ）−（Ａ´）線に沿った断面図である。図５及び図６の上側が保護カバー３の内面であり、下側が保護カバー３の外面である。以後、スタンド使用する際の組み立ての工程を４段階（１）〜（４）に分けて説明する。
【００２６】
（１）図の下側には、開いた状態の保護カバー３の断面図を示し、図の上側には保護カバー３に収納するモニタ本体２及びケーブル４の断面図を示している。モニタ本体２は、裏面２０ｂに設けられる接着部２３と支持面３８Ａに設けられる接着部３９とを接着することで保護カバー３に固定される。ケーブル４は、連結部３７に載置され、ケーブル収納部３５の端部３５Ｂに設けられる接着部３６が連結部３７に接着されることで、ケーブル収納部３５に収納される。また、ストッパ３０は、スタンドベース３３側に重ね、ストッパ３０の内面３０ａに設けられる接着部３１と、スタンドベース３３の内面３３ａに設けられる接着部３４とを接着することで、スタンドベース３３上に凸部を形成する。
【００２７】
（２）図には、モニタ本体２及びケーブル４を保護カバー３に保持し、ストッパ３０をスタンドベース３３に重ねた状態を示している。この状態から、下面２０ｃがスタンドベース３３の内面３３ａに接するようにモニタ本体２を移動させる。内面３３ａに載置するためには、ケーブル４が収納されたケーブル収納部３５を越えなければならない。従って、裏面２０ｂと支持面３８の内面３８ａとの間の距離を確保するために、支持面３８は折れ線部４０で折れ曲がる。このように、ケーブル収納部３５は、スタンドベース３３と支持面３８との間に設けられ、ユーザから見てモニタ本体２の後方に位置するため、ディスプレイ２１の視認の妨げにならない。
【００２８】
（３）図には、モニタ本体２の下面２０ｃをスタンドベース３３の内面３３ａ上に載置した状態を示している。スタンドベース３３の内面３３ａが滑りにくい素材で構成されているため、下面２０ｃは内面３３ａの任意の位置で停止することができる。図の位置の場合、スタンドベース３３と表面２０ａの成す角度はα１である。モニタ本体２は図中の矢印の方向に移動可能であり、ユーザの所望する角度に調整することができる。
【００２９】
（４）（３）の状態から表面２０ａの方向にモニタ本体２を移動させた場合に、モニタ本体２がストッパ３０と接した状態を示している。図の位置の場合、スタンドベース３３と表面２０ａの成す角度はα２である。スタンドベース３３上の凸部であるストッパ３０により、モニタ本体２が表面２０ａ側へ滑ることがなく、スタンド使用として安定した状態である。以上で、保護カバー３をスタンド使用する際の組み立ては終了である。
【００３０】
次に、保護カバー３を携帯使用する際の組み立て手順を説明する。図７は、本実施形態における保護ケース３の携帯使用の手順を説明する図である。以後、携帯使用する際の組み立ての工程を３段階（１）〜（３）に分けて説明する。
【００３１】
（１）図には、モニタ本体２及びケーブル４を保護カバー３に保持した状態を示している。この状態から、モニタ本体２及び支持面３８をスタンドベース３３に対向するように倒す。連結部３７は、モニタ本体２及び支持面３８の移動に追従して変形する。
【００３２】
（２）図には、モニタ本体２及び支持面３８をスタンドベース３３に対向させた状態を示している。ケーブル収納部３５は、連結部３７とモニタ本体２と支持面３８とスタンドベース３３とに囲われている。
【００３３】
（３）図には、ストッパ３０を支持面３８に重ねた状態を示している。支持面３８の外面３８ｂに設けられる接着部４１に、ストッパ３０の内面３０ａに設けられる接着部３１を接着させる。連結部３２は、ストッパ３０の移動に追従して変形する。保護カバー３の端部であるストッパ３０と支持面３８とを接着させることで、モニタ本体２及びケーブル収納部３５の周囲を囲い収納することができる。以上で、以上で、保護カバー３を携帯使用する際の組み立ては終了である。
【００３４】
以上のように、本実施の形態によれば、モニタ本体２を保護する保護カバー３にケーブル４等の付属品を収納する収納部を設けることで、利便性を向上することができる。即ち、モニタ本体２のディスプレイ２１等を保護し携帯性を向上するだけでなく、付属品の収納部も併設することで、モニタ本体２と付属品とを別々に携帯する手間が無くなる。
【００３５】
また、保護カバー３を、携帯使用に加えて、モニタ本体２を机上に起立させるスタンド使用を可能に構成する。この構成により、携帯性のみならず、ディスプレイ２１の視認性と操作ボタン２２の操作性の向上を図っている。本実施の形態の保護カバー３では、スタンド使用時に、載置面（スタンドベース３３）とモニタ本体２を支持する面（支持面３８）とを回動可能に設けることで支持面に接着されるモニタ本体２の角度調整を可能にしている。載置面を摩擦係数の高い素材で形成することで、任意の位置でモニタ本体２の固定が可能であり、ユーザはディスプレイ２１の角度調整をより細かく行うことができる。更に、載置面上に凸部（ストッパ３０）を設けることで、モニタ本体２の起立状態を保つことができる。
【００３６】
また、回動する載置面と支持面との間に付属品を収納する収納部（ケーブル収納部３５）を設け、モニタ本体２を収納部よりもユーザ側に載置する構造により、モニタ本体２のディスプレイ２１の視認を妨げることが無い。また、収納部を弾性変形可能な素材で構成することで、様々な付属品を収納することができる。
【００３７】
尚、以上の説明においては、電子機器としてモニタを例に説明したがこれに限定されることは無い。例えばスレート型のパーソナルコンピュータでも良い。
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３８】
１…モニタ、２…モニタ本体、３…保護カバー、４…ケーブル、５…パーソナルコンピュータ、２０…筐体、２１…ディスプレイ、２２…操作ボタン、２３…接着部、３０…ストッパ、３１…接着部、３２…連結部、３３…スタンドベース、３４…接着部、３５…ケーブル収納部、３６…接着部、３７…連結部、３８…支持面、３９…接着部、４０…折れ線部、４１…接着部。
【図１】
0005148722.tif 000002
【図２】
0005148722.tif 000003
【図３】
0005148722.tif 000004
【図４】
0005148722.tif 000005
【図５】
0005148722.tif 000006
【図６】
0005148722.tif 000007
【図７】
0005148722.tif 000008